(57)【要約】【課題】用紙後処理装置の設置面に対して略垂直方向に延びる用紙搬送路内で、用紙を所定位置に正確に整合させることが可能な用紙後処理装置を提供する。【解決手段】画像形成装置から排出された用紙を搬送し後処理を行う用紙後処理装置において、用紙後処理装置の設置面に対して略垂直方向に延びる用紙搬送路に沿って用紙を搬送する用紙搬送手段と、用紙搬送路で用紙の搬送を停止させる搬送停止手段と、搬送停止手段による用紙の停止状態で用紙搬送手段と用紙との当接を解除する当接解除手段と、当接が解除された状態で用紙が自重落下するのを防止する用紙落下防止手段と、用紙落下防止手段により用紙が落下防止された状態で用紙搬送方向および／または用紙搬送と直交する方向に用紙を移動させて所定位置に整合させる整合手段と、を備え用紙後処理装置。【選択図】        図３
2004244128.tif 000002
【特許請求の範囲】
【請求項１】
画像形成装置から排出された用紙を搬送し後処理を行う用紙後処理装置において、
前記用紙後処理装置の設置面に対して略垂直方向に延びる用紙搬送路に沿って用紙を搬送する用紙搬送手段と、
前記用紙搬送路で用紙の搬送を停止させる搬送停止手段と、
前記搬送停止手段による用紙の停止状態で前記用紙搬送手段と前記用紙との当接を解除する当接解除手段と、
当接が解除された状態で用紙が自重落下するのを防止する用紙落下防止手段と、前記用紙落下防止手段により用紙が落下防止された状態で用紙搬送方向および／または用紙搬送と直交する方向に用紙を移動させて所定位置に整合させる整合手段と、
を備えたことを特徴とする用紙後処理装置。
【請求項２】
画像形成装置から排出された用紙を搬送し穿孔処理を行う用紙後処理装置において、
前記用紙後処理装置の設置面に対して略垂直方向に延びる用紙搬送路に沿って用紙を搬送する用紙搬送手段と、
前記用紙搬送路で用紙の搬送を停止させる搬送停止手段と、
前記搬送停止手段による用紙の停止状態で前記用紙搬送手段と前記用紙との当接を解除する当接解除手段と、
当接が解除された状態で用紙が自重落下するのを防止する用紙落下防止手段と、前記用紙落下防止手段により用紙が落下防止された状態で用紙搬送方向および／または用紙搬送と直交する方向に用紙を移動させて所定位置に整合させる整合手段と、
前記整合手段による用紙の整合後に用紙に穿孔する穿孔手段と、
を備えたことを特徴とする用紙後処理装置。
【請求項３】
前記穿孔手段は前記用紙搬送手段と前記用紙とが当接した状態で、用紙に穿孔することを特徴とする請求項２に記載の用紙後処理装置。
【請求項４】
前記搬送停止手段は、用紙の搬送中に前記用紙の後端を検知し、検知に基づき用紙を停止させることを特徴とする請求項１または２に記載の用紙後処理装置。
【請求項５】
前記用紙落下防止手段は、曲げ部材による用紙の曲げ形成により発生する用紙と曲げ部材との当接部の摩擦抵抗により自重落下を防止するものであることを特徴とする請求項１または２に記載の用紙後処理装置。
【請求項６】
前記曲げ部材は、少なくとも前記用紙搬送路に沿って用紙をガイドするガイド板、用紙搬送手段である搬送ローラ、用紙搬送路内に設けたローラの１つであることを特徴とする請求項５に記載の用紙後処理装置。
【請求項７】
前記用紙落下防止手段は、用紙を圧接する用紙圧接部材と用紙との当接部の摩擦抵抗により自重落下を防止するものであることを特徴とする請求項１または２に記載の用紙後処理装置。
【請求項８】
前記当接解除手段は、用紙搬送手段である搬送ローラを用紙から離間させて当接を解除することを特徴とする請求項１または２に記載の用紙後処理装置。
【請求項９】
前記整合手段は、用紙の搬送方向に対する用紙の後端を押圧部材で前記搬送方向に押して用紙後端位置を所定位置まで移動させることを特徴とする請求項１または２に記載の用紙後処理装置。
【請求項１０】
前記整合手段は、用紙の搬送方向に対する側端を押圧部材で前記搬送方向と直交する方向に押して所定位置まで移動させることを特徴とする請求項１または２に記載の用紙後処理装置。
【発明の詳細な説明】
【０００１】
【発明の属する技術分野】
本発明は、電子写真複写機、プリンタ、ファクシミリ、及びこれらの諸機能を有する複合機等の画像形成装置から排出される用紙に対して、整合、穿孔等の後処理を行う用紙後処理装置に関するものである。
【０００２】
【従来の技術】
複写機、プリンタ、ファクシミリ、これらの複合機等の画像形成装置により画像が記録された用紙に穿孔処理、整合処理等の後処理を行う用紙後処理装置が提供されている。この用紙後処理装置は、画像形成装置本体のプリント機能と接続されて駆動される。
【０００３】
特許第３３０１１９５号公報（特許文献１）に開示された装置は、用紙に穿孔を形成するための穿孔手段を設け、画像形成装置本体から排出された用紙を穿孔手段へ送り込む第１搬送ローラを設け、さらに穿孔手段を通過した用紙を搬送する第２搬送ローラを設け、用紙の後端部が第１搬送ローラを通過する際に、第１搬送ローラと第２搬送ローラとの搬送速度に相対的な差を付け、用紙の後端部を第１搬送ローラに当接させることにより穿孔の形成位置を決めるように構成されている。その効果として、画像形成装置本体の処理速度に影響を及ぼすことなく穿孔を形成できるものであります。
【０００４】
【特許文献１】
特許第３３０１１９５号公報
【０００５】
【発明が解決しようとする課題】
しかしながら、従来の特許文献１に記載の用紙処理装置では、用紙後処理装置の設置面に対して略垂直方向に延びる用紙搬送路内で、用紙を搬送方向の所定位置に整合させるのに、用紙の腰の強さを利用しているが、腰の弱い用紙を使用すると整合が不安定になりやすく、また、搬送ローラと用紙が圧接しているので用紙を搬送方向と直交する方向に整合できないといった問題がある。
【０００６】
第１発明の目的は、用紙後処理装置の設置面に対して略垂直方向に延びる用紙搬送路内で、用紙を所定位置に正確且つ確実に整合させることが可能な用紙後処理装置を提供することにある。
【０００７】
また、従来の特許文献１に記載の用紙処理装置では、前述のように整合が不安定になりやすく、用紙を搬送方向と直交する方向に整合できないので、その後の穿孔も精度よく行い難いという問題がある。
【０００８】
第２発明の目的は、用紙後処理装置の設置面に対して略垂直方向に延びる用紙搬送路内で、用紙の所定位置に正確且つ確実に穿孔できる用紙後処理装置を提供することにある。
【０００９】
【課題を解決するための手段】
上記課題は、本発明の下記の用紙後処理装置により解決される。
【００１０】
（１）画像形成装置から排出された用紙を搬送し後処理を行う用紙後処理装置において、前記用紙後処理装置の設置面に対して略垂直方向に延びる用紙搬送路に沿って用紙を搬送する用紙搬送手段と、前記用紙搬送路で用紙の搬送を停止させる搬送停止手段と、前記搬送停止手段による用紙の停止状態で前記用紙搬送手段と前記用紙との当接を解除する当接解除手段と、当接が解除された状態で用紙が自重落下するのを防止する用紙落下防止手段と、前記用紙落下防止手段により用紙が落下防止された状態で用紙搬送方向および／または用紙搬送と直交する方向に用紙を移動させて所定位置に整合させる整合手段と、を備えたことを特徴とする用紙後処理装置。
【００１１】
（２）画像形成装置から排出された用紙を搬送し穿孔処理を行う用紙後処理装置において、前記用紙後処理装置の設置面に対して略垂直方向に延びる用紙搬送路に沿って用紙を搬送する用紙搬送手段と、前記用紙搬送路で用紙の搬送を停止させる搬送停止手段と、前記搬送停止手段による用紙の停止状態で前記用紙搬送手段と前記用紙との当接を解除する当接解除手段と、当接が解除された状態で用紙が自重落下するのを防止する用紙落下防止手段と、前記用紙落下防止手段により用紙が落下防止された状態で用紙搬送方向および／または用紙搬送と直交する方向に用紙を移動させて所定位置に整合させる整合手段と、前記整合手段による用紙の整合後に用紙に穿孔する穿孔手段と、を備えたことを特徴とする用紙後処理装置。
【００１２】
【発明の実施の形態】
次に本発明に係わる実施の形態の用紙後処理装置を図面に基づいて説明する。
【００１３】
（実施の形態１）
［画像形成システム］
図１は画像形成装置Ａ、用紙後処理装置（以下、後処理装置とも言う）Ｂから成る画像形成システムの全体構成図である。
【００１４】
［画像形成装置］
画像形成装置Ａは、回転する静電潜像担持体（以下、像担持体と称す）１の周囲に、帯電装置２、像露光装置（画像書込部）３、現像装置４、転写装置５Ａ、除電分離装置５Ｂ、及びクリーニング装置６を配置した画像形成部を有する。画像形成部は、帯電装置２によって像担持体１の表面に一様帯電を行った後に、像露光装置３のレーザビームによって原稿から読み取られた画像データに基づく露光走査を行って潜像を形成し、該潜像を現像装置４により反転現像して像担持体１の表面にトナー像を形成する。
【００１５】
一方、画像形成装置Ａの中段に配置された給紙カセット７Ａ、７Ｂ、下段に配置された大容量給紙トレイ７Ｃ、７Ｄ、側方に配置された手差し給紙トレイ７Ｅ等から給紙された用紙Ｓは、レジストローラ７Ｆを経由して転写位置へ送られる。
【００１６】
転写位置において転写装置５Ａにより前記トナー像が用紙Ｓ上に転写される。その後に、用紙Ｓは除電分離装置５Ｂにより裏面の電荷が消去されて像担持体１から分離され、用紙搬送部７Ｇにより搬送され、引き続き定着装置８によりトナー画像が加熱定着される。定着装置８を通過した用紙Ｓは、搬送路切り換え板９Ｂの右側方の通紙路を通過して、下方の反転搬送部９Ｃに送り込まれた後、逆転上昇され、搬送路切り換え板９Ｂ左側方の通紙路を通過して、排紙ローラ９Ａにより排出される。
【００１７】
用紙Ｓの両面に画像形成を行う場合には、定着装置８により加熱定着された用紙Ｓを、搬送路切り換え板９Ｂにより通常の排紙通路から分岐し、両面搬送部９Ｄにおいてスイッチバックして表裏反転した後、再び画像形成部を通過し、用紙Ｓの裏面に画像を形成し、定着装置８を経て、排紙ローラ９Ａにより装置外に排出される。
【００１８】
一方、像担持体１の画像処理後の表面は、クリーニング装置６により表面に残留している現像剤が除去され、次の画像形成に備える。
【００１９】
［用紙後処理装置］
図２は、本発明に係る用紙後処理装置Ｂの全体構成図、図３は実施の形態１における搬送部、整合部、穿孔部の構成を示す正面図、図４は実施の形態１における搬送部、整合部、穿孔部の構成を示す側面図、図５は図４の用紙の整合部の構成を示す正面図である。
【００２０】
用紙後処理装置Ｂは、受入部１０、排紙部２０、表紙用紙給紙部３０、搬送部５０、整合部７０、穿孔部４０、用紙折り処理部６０から構成されて、画像形成装置Ａから排出された用紙を搬送し後処理を行う装置である。
【００２１】
〈受入部１０〉
受入部１０の入口ローラ１１は、画像形成装置Ａの排紙ローラ９Ａとほぼ合致するような位置と高さに設置されている。
【００２２】
受入部１０には、画像形成装置Ａから画像形成処理された用紙Ｓと、表紙用紙給紙部３０から供給される表紙用紙Ｋとが導入される。
【００２３】
入口ローラ１１に導入された用紙Ｓ、表紙用紙Ｋは、搬送路切換手段Ｇ１によって排紙部２０と穿孔処理部４０の何れかに分岐される。
【００２４】
〈排紙部２０〉
この用紙搬送が設定されると、搬送路切換手段Ｇ１は穿孔処理部４０への搬送路を遮断し、排紙部２０への搬送路を開放する。
【００２５】
排紙部２０の搬送路を通過する用紙Ｓは、搬送ローラ２１、２２に挟持されて直進し、排紙ローラ２３により排出され、昇降排紙台（メイントレイ）２４上に載置され、順次積載される。昇降排紙台２４に多数枚の用紙Ｓを排紙、積載するときには、昇降排紙台２４が順次下降するように構成されていて、最大３０００枚の用紙Ｓを収容する事が可能である。
【００２６】
搬送路切換手段Ｇ２によって搬送ローラ２２の用紙搬送方向下流側の図示上方に分岐された用紙Ｓは、搬送ローラ２５を通過し、排紙ローラ２６によって装置外の固定排紙台（サブトレイ）２７上に排出、収容される。固定排紙台２７上には最大約２００枚の用紙Ｓを積載することができる。
【００２７】
搬送ローラ２５下流に配置された搬送路切換手段Ｇ３は搬送される用紙Ｓを分岐して用紙後処理装置内部の固定排紙台（内部トレイ）２９に排出させる。
【００２８】
〈表紙用紙給紙部３０〉
表紙用紙給紙部３０の給紙皿３１内に収容された表紙用紙Ｋは、給紙手段３２により分離、給送され、搬送ローラ３３、３４、３５、３６に挟持されて、受入部１０に導入される。なお、表紙用紙給紙部３０には、インサート用紙を装填して給紙することも可能である。
【００２９】
なお、表紙用紙給紙部３０に、表紙用紙Ｋ、インサート用紙、又は用紙Ｓを装填して、オフラインで穿孔処理、折り処理を実施することも可能である。
【００３０】
以下、用紙Ｓ、表紙用紙Ｋ、インサート用紙を一括して用紙Ｓと総称する。
〈搬送部５０〉
図２から図４において、受入部１０の搬送路切換手段Ｇ１により分岐された用紙Ｓは、搬送路切換手段Ｇ１の下方に配置された搬送ローラ５１に挟持され、整合部７０および穿孔部４０に搬送される。なお、用紙搬送路には用紙の搬送をガイドするガイド板９１、９２が設けられている。
【００３１】
用紙は、用紙後処理装置Ｂの設置面に対して略垂直方向に延びている用紙搬送路▲１▼に沿って、用紙搬送手段で有る搬送ローラ５１、５２、５４、５５、５６により挟持されて搬送される。用紙は搬送中に用紙後端をセンサＰＳが検出すると、搬送停止手段により前述の各搬送ローラを停止させ用紙を停止させるようになっている。なお、用紙の後端は図３における搬送ローラ５１と穿孔部４０の間で停止する。
【００３２】
〈整合部７０〉
用紙が停止した状態で、用紙に当接している搬送ローラ５２ａ、５４ａが当接解除手段の作用により用紙から離れる。詳しくは、図５において、ソレノイド８１がＯＮすると軸部材８２に設けられたピン８３が矢印方向に移動する。このピン８３の移動により軸８４と一体となっているレバー８５、８６が回動し、レバー８６が図示しないバネに抗して搬送ローラ５２ａの突起部５２１ａを押して搬送ローラ５２ａを図５に示す点線の位置に移動し、用紙から離れるようになっている。同様にして搬送ローラ５４ａの移動も同様である。
【００３３】
曲げ部材であるガイド板９１とローラ５３により用紙は図３に示すように曲げられ、用紙とガイド板９１との当接部Ｆの摩擦抵抗、および用紙とローラ５３と当接部Ｆの摩擦抵抗により、用紙は自重落下しないようになっている（用紙落下防止手段）。
【００３４】
また、図３、４において、パルスモータ７１が駆動すると軸７２が図３において時計方向に回動し、軸７２と一体の押圧部材であるレバー７３が作動し、停止している用紙Ｓの後端を搬送方向に押し所定位置に整合させる。また、パルスモータ７４が駆動するとプーリ７６ａ、プーリ７６ｂで懸架されたベルト７５が移動し、ベルトに固定された寄せ板７７ａと寄せ板７７ｂはガイド軸７８に沿って移動し、用紙の側端を押し所定位置に整合させる。
【００３５】
〈穿孔部４０〉
図３において、用紙は所定位置へ整合の後に、穿孔手段により用紙搬送手段と用紙Ｓとのが当接した状態で、図示しない駆動源により駆動されるパンチとパンチの刃部に嵌合するダイスとにより用紙に穿孔処理がなされる。
【００３６】
穿孔処理された用紙Ｓは、下方に送られるか、又は、穿孔処理後の用紙Ｓは、搬送路切換手段Ｇ４により逆送されて排紙部２０に送られ排出される。
【００３７】
〈用紙折り処理部６０〉
図２において、搬送部５０から用紙折り処理部６０に搬送された用紙Ｓは、入口ローラ６０１に挟持されて搬送され、第１折り部６１、第２折り部６２、第３折り部６３において、外中折り、内中折り、Ｚ折り、外三つ折り、中三つ折り、観音折り、ダブルパラレル折り等の折り処理が実施されて、排紙部２０に排出される。
【００３８】
（実施の形態２）
実施の形態２は、整合部以外は実施の形態１と機構的に同じである。実施の形態１と機構的に同じ部分は同一符号を付け説明を省略する。図６は実施の形態２における整合部、穿孔部の構成を示す正面図である。
【００３９】
図６に示すように、用紙Ｓは用紙搬送路▲１▼に沿って搬送ローラ５１、５２、５４により搬送され、その後、前述の当接解除手段により用紙Ｓに当接している搬送ローラ５２ａ、５４ａが用紙Ｓから離れる。その後、用紙Ｓは用紙落下防止手段である板バネ９３との当接部Ｆにおける摩擦抵抗により自重落下が防止される。
【００４０】
次に、用紙Ｓは実施の形態１と同様にして用紙搬送方向および用紙搬送と直交する方向に移動され所定位置に整合され、その後に穿孔処理が行われる。
【００４１】
なお、実施の形態では、複写機本体に接続した用紙後処理装置について説明したが、プリンタ、ファクシミリ、複合機等の画像形成装置に接続して使用する用紙後処理装置にも適用可能である。また、単独の用紙後処理装置として整合、穿孔を実施することも可能である。
【００４２】
【発明の効果】
以上の説明から明らかなように、第１発明によれば、用紙後処理装置の設置面に対して略垂直方向に延びる用紙搬送路に沿って用紙を搬送し、用紙搬送路内で用紙の搬送を停止させ、用紙停止の状態で用紙搬送手段と用紙と分離し、分離状態で用紙の自重落下を防止し、用紙が自重落下防止された状態で用紙搬送方向および／または用紙搬送と直交する方向に用紙を所定位置に整合させるので、垂直方向に延びる用紙搬送路で、簡易に精度よく用紙を所定位置に整合できるようになった。
【００４３】
さらに、第２発明によれば、用紙後処理装置の設置面に対して略垂直方向に延びる用紙搬送路に沿って用紙を搬送し、用紙搬送路内で用紙の搬送を停止させ、用紙停止の状態で用紙搬送手段と用紙と分離し、分離状態で用紙の自重落下を防止し、用紙が自重落下防止された状態で用紙搬送方向および／または用紙搬送と直交する方向に用紙を所定位置に整合させ、さらに用紙の所定位置への整合後に、用紙に穿孔するので、垂直方向に延びる用紙搬送路で、簡易に精度よく用紙に穿孔できるようになった。
【図面の簡単な説明】
【図１】画像形成装置、用紙後処理装置から成る画像形成システムの全体構成図である。
【図２】本発明に係る用紙後処理装置の全体構成図である。
【図３】実施の形態１における搬送部、整合部、穿孔部の構成を示す正面図である。
【図４】実施の形態１における搬送部、整合部、穿孔部の構成を示す側面図である。
【図５】図４の用紙の整合部の構成を示す正面図。
【図６】実施の形態２における整合部、穿孔部の構成を示す正面図である。
【符号の説明】
４０  穿孔部
５０  搬送部
５２ａ、５２ｂ、５２ａ、５２ｂ  搬送ローラ
７０  整合部
Ｂ  用紙後処理装置
Ｆ  当接部
Ｓ  用紙
▲１▼  用紙搬送路
【図１】
2004244128.tif 000003
【図２】
2004244128.tif 000004
【図３】
2004244128.tif 000005
【図４】
2004244128.tif 000006
【図５】
2004244128.tif 000007
【図６】
2004244128.tif 000008